(57)【要約】【課題】威嚇信号に関して鳥獣の学習を困難にし、所望の領域に鳥獣を近寄せない、あるいは追放する。【解決手段】２種類以上の音声を連続して出したあと一定時間無声音にしている音声サイクルを一定回数繰り返し、続いて、該音声を変えて該音声サイクルを一定回数繰り返す場合、該音声を自動的に、且つ、複数回変えるなど、種々の威嚇信号の発信形態を複雑にする。【選択図】　　図１
2004129530.tif 000002
【特許請求の範囲】
【請求項１】
鳥獣を所望の領域から追い払う鳥獣追放器において、２種類以上の音声を連続して出したあと一定時間無声音にしている音声サイクルを一定回数繰り返し、続いて、該音声を変えて該音声サイクルを一定回数繰り返す場合、該音声を自動的に、且つ、複数回変える手段を備えていることを特徴とする音声式鳥獣追放器。
【請求項２】
前記の一定時間あるいは一定回数を不定時間あるいは不定回数にする手段を備えていることを特徴とした請求項１記載の音声式鳥獣追放器。
【請求項３】
請求項１、請求項２に記載した音声の代わりに２種類以上の光を出す手段を備えていることを特徴とする光学式鳥獣追放器。
【請求項４】
請求項１、請求項２に記載した音声の代わりに２種類以上の機械的運動をする手段を備えていることを特徴とする機械式鳥獣追放器。
【請求項５】
請求項１、請求項２、請求項３、請求項４に記載した音声、光、機械的運動に関する複数の該手段を組み合わせて備えていることを特徴とする鳥獣追放器。
【請求項６】
鳥獣が所定の領域に入ると感知するセンサを備えていることを特徴とする請求項１、請求項２、請求項３、請求項４、請求項５に記載の鳥獣追放器。
【発明の詳細な説明】
【０００１】
【発明の属する技術分野】
本発明は、所望の領域から音声・光・機械的運動などによって鳥獣を追放する手段に関するものである。
【０００２】
【従来の技術】
従来の鳥獣追放器は、威嚇信号などが単調に発信されているために、鳥獣の学習によって効力が短期間で無くなっている。
【０００３】
【発明が解決しようとする課題】
本発明は、所望の領域に鳥獣を近寄せないためあるいは追放するために、威嚇信号などの発信形態を複雑にして、鳥獣の学習を困難にする鳥獣追放器を提供することを目的とする。
【０００４】
【課題を解決するための手段】
請求項１記載の発明は、鳥獣を所望の領域から追い払う鳥獣追放器において、２種類以上の音声を連続して出したあと一定時間無声音にしている音声サイクルを一定回数繰り返し、続いて、該音声を変えて該音声サイクルを一定回数繰り返す場合、該音声を自動的に、且つ、複数回変える手段を備えていることを特徴とする。
【０００５】
この発明によれば、鳥獣を威嚇などする音声が時を経ると変わって出てくるので、鳥獣が音声を危険なものでないと学習することが難しくなる。
【０００６】
請求項２記載の発明は、請求項１における一定時間あるいは一定回数を不定時間あるいは不定回数にする手段を備えていることを特徴とする。
【０００７】
この発明によると、無声音にしている期間あるいは該サイクルの繰り返し回数が不定になるので、鳥獣にとって音声が出る時期の予測など該学習が更に難しくなる。
【０００８】
請求項３記載の発明は、請求項１、請求項２に記載した音声の代わりに２種類以上の光を出す手段を備えていることを特徴とする。
【０００９】
この発明によると、前記と同様、相異なる光の波長・光の強度・光の点滅など鳥獣の危機感覚を刺激する光の出力信号が経時変化するので、該学習が難しくなる。
【００１０】
請求項４記載の発明は、請求項１、請求項２に記載した音声の代わりに２種類以上の機械的運動をする手段を備えていることを特徴とする。
【００１１】
この発明によると、鳥獣を警戒させる回転物・揺動物・飛行機などの動きが変わるので、前記と同様に該学習が難しくなる。
【００１２】
請求項５の記載の発明は、請求項１、請求項２、請求項３、請求項４に記載した音声、光、機械的運動に関する複数の該手段を組み合わせて備えていることを特徴とする。
【００１３】
この発明によると、上記組合わせにより、一層複雑な出力信号が出るようになるので、鳥獣にとって更に該学習が難しくなる。
【００１４】
請求項６記載の発明は、鳥獣が所定の領域に入ったときに感知するセンサを備えていることを特徴とする。
【００１５】
この発明によると、赤外線センサやカメラなどにより鳥獣の領域侵入を感知して、鳥獣追放器がタイムリーに作動するようになるので、一層、鳥獣に対する威嚇作用などが働くようになる。
【００１６】
【発明の実施の形態】
図１は、本発明の請求項１に関する実施例を示し、音声の出ている状態を示すタイムチャートである。
例えば、音声▲１▼、▲２▼が各々１０秒間づつ出て、続いて無声音＠が５分間あって１つの音声サイクルとなっている。
この音声サイクルが約３６秒間繰り返された後、自動的に音声▲１▼、▲２▼が、これらと異なる音声▲３▼、▲４▼に変えられ各々１０秒間づつ出て、続いて無声音＠が５分間ある音声サイクルが約３６秒間繰り返される。
同様に図示していない音声▲５▼、▲６▼に変わって音声サイクルが繰り返されるものである。図示した音声▲１▼▲２▼▲３▼▲４▼＠の上の数字は音声サイクル数を示している。従って、鳥獣に対して威嚇信号などとなる音声の発信が複雑な形態で出されるので、鳥獣はこの音声信号になれることができないため、所望の追放領域に入らなくなる。
【００１７】
図２は、図１の音声サイクルを実現するための音声制御システムのブロック図を示した実施例で、音声メモリｍの中から必要な音声が、タイマｔは無声音＠の時間が、サイクル数ｎは音声サイクル数がコンピュータｃなどで指定されて音声合成器ｐを通して音声の出力装置ｏからが出力される。電源装置Ｖ、スピーカｋが付いている。
【００１８】
図３は、従来の実施例で、音声が出ているタイムチャートが示されている。音声▲１▼、▲２▼が各々１０秒間づつ出て、続いて無声音＠が５分間あって１つの音声サイクルとなっているが、順次繰り返す音声サイクルは同じ音声▲１▼、▲２▼が出ている。従って、鳥獣は同じ音声を繰り返して聴くことになるので、馴れて逃げなくなる。
【００１９】
図２において、乱数発生器ａを用いてタイマｔ、サイクル数ｎを指定すると請求項２に記載する該不定時間、不定回数の音声サイクルが実現できる。また、音声の出力装置ｏの代わりにレーザ光源などの光出力装置を備えると請求項３記載の光学式鳥獣追放器、鳥獣追放領域を巡回飛行する無線飛行機などの運動機構を備えると請求項４記載の機械的鳥獣追放器、これらの出力装置を組み合わせると請求項５記載の鳥獣追放器が実現できる。
【００２０】
図４は、請求項６に記載する鳥獣追放器に関する実施例のブロック図で、赤外線センサｓは鳥獣が近づくと開閉器ｓｗを接続状態にして音声の出力装置ｏが作動し忌避音が出る様になっている。図中で図２と同じ符号のものは機能が同等なので説明は省く。この実施例では、太陽エネルギーを利用しており、太陽光ｈνを太陽電池Ｂで受けて発生した電気を整流器ｄを通して電気二重層コンデンサｍに蓄え、発生電圧をＤ／Ｄコンバータｆで昇圧し、ヒステリシス比較器ｈに予め設定している所定の電圧Ｈになったとき開閉器ｓｗがオン状態になる。電気二重層コンデンサＣに蓄えられたエネルギーが負荷で消費されて、ヒステリシス比較器ｈに設定している所定の電圧Ｌを下回ったときは、開閉器ｓｗがｏｆｆになって再び充電される。ここで、過充電防止回路ｑは強力な太陽光で蓄電量が増大して電気二重層コンデンサｍが破壊するのを防ぐものである。
【００２１】
【発明の効果】
本発明によれば、鳥獣に対する威嚇信号などの発信形態を複雑にして鳥獣の学習を困難にするので、鳥獣を所望の領域から追放することが可能になる。
【図面の簡単な説明】
【図１】本発明のタイムチャートの実施例
【図２】本発明の音声制御システムの実施例
【図３】従来のタイムチャートの実施例
【図４】本発明で赤外線センサを用いた実施例
【符号の説明】
▲１▼、▲２▼　　音声
▲３▼、▲４▼　　　〃
▲５▼、▲６▼　　　〃
＠　　　　無声音
ｎ　　　　サイクル数
ｍ　　　　音声メモリ
ｔ　　　　タイマ
ｃ　　　　コンピュータ
ｐ　　　　音声合成器
ｏ　　　　出力装置
Ｖ　　　　電源装置
ｋ　　　　スピーカ
ａ　　　　乱数発生器
ｓ　　　　赤外線センサ
ｓｗ　　　開閉器
ｈν　　　太陽光
Ｂ　　　　太陽電池
ｄ　　　　整流器
Ｃ　　　　電気二重層コンデンサ
ｆ　　　　Ｄ／Ｄコンバータ
ｈ　　　　ヒステリシス比較器
Ｈ　　　　電圧
Ｌ　　　　　〃
ｑ　　　　過充電防止回路
【図１】
2004129530.tif 000003
【図２】
2004129530.tif 000004
【図３】
2004129530.tif 000005
【図４】
2004129530.tif 000006